(57)【特許請求の範囲】
【請求項１】
（ａ）多糖類と、（ｂ）２層カーボンナノチューブと、（ｃ）パーフルオロアルキル基を有する水溶性化合物とからなるカーボンナノチューブ水分散液であって、２５℃での表面張力が３４ｍＮ／ｍ以下であり、かつ粒度分布測定をおこなったときのメディアン径が１００ｎｍから４０００ｎｍであることを特徴とするカーボンナノチューブ水分散液。
【請求項２】
多糖類がカルボキシメチルセルロース類である事を特徴とする請求項１に記載のカーボンナノチューブ水分散液。
【請求項３】
パーフルオロアルキル基を有する親水性化合物がアニオン性フッ素化合物である事を特徴とする請求項１または請求項２に記載のカーボンナノチューブ水分散液。
【請求項４】
（ａ）多糖類、（ｂ）２層カーボンナノチューブ、（ｃ）パーフルオロアルキル基を有する水溶性化合物の重量が、（ｂ）を１としたときに（ａ）が３以上１２以下、かつ（ｃ）が３．７５以上であることを特徴とする請求項１〜請求項３のいずれか１項に記載のカーボンナノチューブ水分散液。
【請求項５】
請求項１〜請求項４のいずれか１項に記載のカーボンナノチューブ水分散液を用いてなる帯電防止用インク。
【請求項６】
請求項１〜請求項４いずれか１項に記載のカーボンナノチューブ水分散液を用いてなる表面抵抗値１．０×１０２〜１．０×１０１３Ω／□の導電膜。
【請求項７】
２層カーボンナノチューブを多糖類を用いて分散して得られる分散液に対して、パーフルオロアルキル基を有する水溶性化合物を添加して調製することを特徴とする請求項１〜４のいずれか1項に記載のカーボンナノチューブ水分散液の製造方法。
【発明の詳細な説明】
【技術分野】
【０００１】
カーボンナノチューブ水分散液に関する。
【背景技術】
【０００２】
基材上に導電性膜を形成するための塗布液は、精密回路を有する電気製品の静電気の発生を防ぐため基材に帯電防止性を持たせるために使用される。また、光学基材へのほこり付着防止用の塗布液として用いられることもあるが、この場合、帯電防止膜には高い透明性も必要となる。導電膜となる導電性成分としては、銀ナノロッド、銀ナノ粒子、導電性ポリマー、カーボンブラック、カーボンナノチューブなどを塗液中に分散させて使用されることが多い。また、導電膜形成方法として、酸化インジウムスズのような、導電性の金属を蒸着させる手法もある。
【０００３】
導電膜形成の手法としては、金属膜の蒸着は装置が大がかりになりやすい問題があるため、塗料を塗布して乾燥させる方法が簡便である。しかし、塗料を塗布する方法は、安定で高性能な溶液を調製するために非常に高度な技術を必要とする場合が多い。導電性膜形成用の塗液は導電性物質を分散させて調製するが、導電性物質の分散性が悪いと、形成された膜の導電性が悪くなるため、必要な導電性を得るためには非常に大量の塗布液を塗布しなければならなくなる。大量に塗布すると、基材に導電物質の色が付くという問題が生じる。透明性を必要としない基材の場合は色が問題とならない場合も多いが、透明性を必要とする基材の場合、色が付かないよう少量塗布で性能を発揮する塗布液が必要で、導電物質を非常に高度に分散させる分散技術と高分散状態を維持する技術が必要である。
【０００４】
これまでにも、分散性と分散安定性を向上させるため、分散させる導電性物質に合った種々の分散剤、分散安定剤や分散助剤が探索されているが、分散剤の他に添加剤を加えた場合、添加剤が分散剤の分散性を損なう事も多く、分散剤や添加剤の性質が製品の特性を損なう場面が生じるなど問題が多く、目的に合った組み合わせを探索するには多大な労力を要する。
【０００５】
また、導電性物質自体にも、長所、欠点が存在するため目的にあった、導電性物質、分散剤、目的に応じた添加剤の組み合わせを見つけるのは非常に困難な作業である。
【０００６】
金属系の導電物質（銀、ＩＴＯ、酸化亜鉛など）は高い導電性を有しているが、反射率が大きいため、透明性を必要とする基材に用いた場合、僅かな厚みのムラでも干渉縞が出来やすく、製品製造時に欠品が出来やすく生産性が悪いという問題がある。また、金属は比重が大きいため、軽量化をねらう用途には不向きである。導電性ポリマーはポリマーが発色していることが多く、透明性を求める用途には若干不向きである。さらに、導電性ポリマーは湿度に対する耐久性が低いという問題もある。
【０００７】
カーボン系の導電物質は軽くて丈夫な物質ではあるが、例えばカーボンブラックはグラフェンシート一枚ずつを分散させることが非常に難しく、グラフェンが積層した状態で用いられている場合が非常に多い。この様な使い方は経済的にも好ましくない。
【０００８】
カーボンナノチューブは高いアスペクト比を有するため、高度に分散させた形状を維持したまま膜を形成することが出来れば、非常に少ない量で高い導電性を得ることが可能な導電材料である。
【０００９】
しかし、カーボンナノチューブを分散させるために用いた分散剤、添加剤や溶媒が必ずしも用いたい基材に塗布できるとは限らず、例えば水を溶媒に用いた場合はプラスチックなどの樹脂系基材にはほとんど塗ることが出来ない。この場合、基材表面をコロナ処理、プラズマ処理をするか、水と親和性の高い素材をアンダーコート剤として塗ることによって表面を改質することによってカーボンナノチューブ水分散液を塗布することが可能となる。しかし、コロナ処理、プラズマ処理は装置が大がかりで汎用性に欠け、大きな材料や、複雑な形状の材料に使用しづらいという難点があり、アンダーコート剤を塗る場合は、材料費、工程の増加等経済的に不利な作業である。そこで、分散剤や添加剤の工夫によって種々の基材に塗布可能なカーボンナノチューブ分散液の開発も行われている。
【００１０】
高い導電性を持たせるためには、均一にカーボンナノチューブが分散した状態で膜を形成する必要がある。しかし、基材にカーボンナノチューブの導電膜を形成するためには、基材に適した分散液用の溶剤や分散剤を使用せねばならないのが現状で、用途に合わせた溶剤や分散剤の選択は、必ずしもカーボンナノチューブの分散や塗工時のカーボンナノチューブ凝集抑制に適切とは限らない。また、カーボンナノチューブはバンドルを非常に組みやすい材料であるため、塗工性を向上させるために、下手に添加剤を加えると、たちまちカーボンナノチューブの凝集が始まることも少なくない。例えば特許文献１にあるように、塗布用のカーボンナノチューブ水分散液にバインダー樹脂を混ぜ、カーボンナノチューブの凝集を抑制するなどの工夫が成されているが、基材によっては塗布が困難であったり、バインダー樹脂の特性が分散液に付与される結果、用途が制限される問題があった。カーボンナノチューブが凝集しない添加剤を探し、カーボンナノチューブ分散液に目的に応じた添加剤の特性のみを付与するための検討もおこなわれている。例えば特許文献２では、フッ素化合物を用いて、塗工後のカーボンナノチューブ導電膜に撥水性と撥油性を付与している。また、添加剤を加えると目的とする性能が損なわれるため、目的に応じた分散剤を探し、カーボンナノチューブ分散液に目的に応じた特性を付与する検討もおこなわれている（特許文献３）。この様に、個々の目的に応じた添加剤、分散剤の選択は逐次されているが、種々の基材に塗工可能で、優れた導電性を持った汎用性の高いカーボンナノチューブ分散液の開発に関する報告はみあたらない。
【先行技術文献】
【特許文献】
【００１１】
【特許文献１】特開２００７−２１７６８４号公報
【特許文献２】特開２００７−５６３１４号公報
【特許文献３】特開２０１０−１３２８１２号公報
【発明の概要】
【発明が解決しようとする課題】
【００１２】
本発明は、上記のような事情に鑑みなされたものであり、ガラス、種々の金属基材および樹脂に塗布した際もムラを生じること無く均一に塗布でき、基材上に導電性の塗膜を形成可能なカーボンナノチューブ水分散液を提供する。
【課題を解決するための手段】
【００１３】
我々は、鋭意検討した結果、多糖類をカーボンナノチューブの分散剤として用いたカーボンナノチューブ水分散液へ、パーフルオロアルキル基を有する水溶性化合物とを組み合わせることによって、多種多様な基材へムラなく塗布可能であり、基材上に導電性塗膜を形成可能なカーボンナノチューブ水分散液を調製可能であることを見いだした。すなわち本発明は、下記の構成を有する。
（ａ）多糖類と、（ｂ）２層カーボンナノチューブと、（ｃ）パーフルオロアルキル基を有する水溶性化合物とからなるカーボンナノチューブ水分散液であって、２５℃での表面張力が３４ｍＮ／ｍ以下であり、かつ粒度分布測定をおこなったときのメディアン径が１００ｎｍから４０００ｎｍであることを特徴とするカーボンナノチューブ水分散液。
【発明の効果】
【００１４】
本発明により多種多様な基材に塗布可能な少量で優れた透明性と帯電防止性を有する導電性膜形成用の塗液を得ることができる。
【図面の簡単な説明】
【００１５】
【図１】図１はカーボンナノチューブ製造例で使用した流動床縦型反応装置の概略図である。
【発明を実施するための形態】
【００１６】
カーボンナノチューブは、グラファイトの１枚面を巻いて筒状にした形状を有しており、１層に巻いたものを単層カーボンナノチューブ、多層に巻いたものを多層カーボンナノチューブ、その中で特に２層に巻いたものを２層カーボンナノチューブという。また、特殊な形状としてカップスタック型と呼ばれる底をくり抜いたカップを重ねた形状のチューブや、竹節構造を有したバンブー型ナノチューブや、カーボンナノコーンと呼ばれるコーン型のナノチューブも存在し、本発明で使用するカーボンナノチューブは一般にカーボンナノチューブと呼ばれるこれらのいずれを用いてもよく、組み合わせても良い。また、一本の形状が途中から変わっていても良い。
【００１７】
カーボンナノチューブの形態は、高分解能透過型電子顕微鏡で調べることができる。グラファイトの層は、透過型電子顕微鏡でまっすぐにはっきりと見えるほど好ましいが、グラファイト層は乱れている部分があっても構わない。少量で高い導電性を有する膜を形成するための分散液を得たい場合は、グラファイト化度の高く、直線性の高いカーボンナノチューブを選択するのが好ましい。
【００１８】
一般にカーボンナノチューブは層数が少ないほどグラファイト化度の高いカーボンナノチューブを合成し易い傾向がある。したがって特殊な形状のカーボンナノチューブよりも単層カーボンナノチューブ、２層カーボンナノチューブ、多層カーボンナノチューブといった一般的なカーボンナノチューブを使用するのが好ましく、なかでも単層カーボンナノチューブと２層カーボンナノチューブが好ましく、丈夫で直線性が高いという点で２層カーボンナノチューブを用いるのが最も好ましい。
【００１９】
ここでいう単層カーボンナノチューブ、２層カーボンナノチューブ、多層カーボンナノチューブとは、１００本中５１本以上がそれぞれ単層、２層、多層であるカーボンナノチューブであるものをいう。１００本中５１本以上の数え方は、透過型電子顕微鏡でカーボンナノチューブの層数が観測できる程度の測定倍率（例えば日本電子製  ＪＥＭ−２１００を使用するなら、測定倍率３０万倍から８０万倍）で画像を取り込み、画像をＡ４サイズになる大きさで打ち出して行う。その時２０ｎｍの縮尺が３ｃｍから１０ｃｍの大きさになるように画像を取り込んで計測する。１つの視野中でカーボンナノチューブの層数、外径が観測できる全てのカーボンナノチューブについて層数と外径を評価し、本数が１００本に到達するまで視野を変えていく。一つの試料で１００本の測定ができない場合には、新しい試料を用意して同様の評価を続けることによって１００本数える。
【００２０】
カーボンナノチューブ選択の別の指標として、カーボンナノチューブの純度を表すラマン分光分析によるＧ／Ｄ比を用いても良い（ＧバンドとＤバンドの高さ比；Ｇバンドはカーボンナノチューブの結晶化度が高いほど高くなり、Ｄバンドはアモルファスカーボンの様な炭素不純物の存在量やカーボンナノチューブの欠損の量が多くなると高くなる）。ラマンＧ／Ｄ比は不純物の量とカーボンナノチューブ自身の結晶化度の両方を同時に測定してしまう値ではあるが、不純物が少なくなっても、カーボンナノチューブの結晶化度が高くなってもＧ／Ｄ比は高くなるので、Ｇ／Ｄ比が高いほど導電性は高いカーボンナノチューブのバルク体となる。従って、本発明で使用するカーボンナノチューブのＧ／Ｄ比は高いほど好ましい。Ｇ／Ｄ比は測定に用いる光の波長によって変わる値であるので、目安として、例えば耐電防止目的に使用するのであれば、６３３ｎｍ光を用いて測定した場合、Ｇ／Ｄ比は５以上あるのが好ましく、１０以上であればより好ましく、更に好ましくは２０以上である。５０以上であれば最も好ましい。上限としては生産性を無視すれば現状の技術ではどこまでもＧ／Ｄ比の高いカーボンナノチューブを製造可能であるため、適宜、必要に応じて調製すると良いが、Ｇ／Ｄ比が２０から２００あれば、例えば帯電防止目的であれば十分性能を発揮する。２０以下でも効果を発揮するが、塗布時の膜圧を厚く塗る必要があり、透明性を必要とする用途には使いにくい。
【００２１】
また、カーボンナノチューブの外径は細いほど好ましい、外径が細いほどカーボンナノチューブの長軸方向への電流が流れやすく、外形が太いと電流が拡散しやすくなるためである。カーボンナノチューブの外形は好ましくは平均外径が１００ｎｍ以下であり、より好ましくは５０ｎｍ以下、更に好ましくは１０ｎｍ以下であり、中でも外径４ｎｍ以下、特に３ｎｍ以下のカーボンナノチューブは、Ｇ／Ｄ比が高くなる傾向が強く、特に好ましい。最上に好ましくは２ｎｍ以下のカーボンナノチューブが最も直線性が高く、高Ｇ／Ｄ比となり易いため好適である。Ｇ／Ｄ比の高いカーボンナノチューブは表面が均一で綺麗であるため、分散剤との相互作用も全体的に均一となり分散し易く、少ない分散剤量でカーボンナノチューブが分散するため好ましい。平均外径は前記ＴＥＭ観測によって層数を数えた方法で、１００本の外径から算出した算術平均値のことである。
【００２２】
カーボンナノチューブを合成する方法は種々存在するが、化学的気相成長（ＣＶＤ）法による合成法だと２層カーボンナノチューブが合成しやすい。直径の制御は担体に担持させる触媒の粒径を制御することによって合成される２層カーボンナノチューブの直径を制御することが出来る。触媒の粒径を小さくして担持させるほど、直径の細いカーボンナノチューブが合成できる。担持させる触媒の粒径は文献既知の方法で初めから触媒の微粒子を合成しておいて担体に担持させても良いし、触媒前駆体となる金属イオンの薄膜を担体に塗布しておき、加熱によって金属イオンを担体表面で粒子化させてもよい。このときの加熱の仕方で担体上の粒子の大きさは変化する。急激に加熱するほど小さな粒子を多く造ることが出来る。
【００２３】
また、カーボンナノチューブの長さは、合成条件や分散条件を変えることによって調整することが可能である。合成時の反応時間を長くすれば長めのカーボンナノチューブを得ることが出きる。また、合成中に酸素を含む化合物（例えばアルコールや水など）を混ぜながらカーボンナノチューブを合成すると、触媒を被覆している炭素不純物が燃やされて触媒寿命が延びるため、長めのカーボンナノチューブが合成出来る。この方法、例えば触媒，第５１巻１号，  ２−７（２００９）ではスーパーグロースなる方法でカーボンナノチューブを合成している。分散時間を長くすれば通常短めのカーボンナノチューブを得ることが出来る。また、酸化剤の混ざった溶液中でカーボンナノチューブを加熱することによって短くすることも可能である。
【００２４】
本発明における多糖類はカーボンナノチューブの分散剤として用いられる。ここでいう多糖類とは単糖分子がグリコシド結合によって２個以上縮合した糖のことであり、これらの官能基を変換したり、修飾したりした誘導体も含める。より具体的には、例えば、デンプン、グリコーゲン、アガロース、ペクチンや、植物細胞壁にあるセルロースや、ペクチン、節足動物・菌類の外骨格にあるキチン、藻類の細胞にあるアガロース（寒天）やカラギーナン、あるいは微生物が分泌するゲル状物質キサンタンガムなどが挙げられる。
【００２５】
修飾された多糖類の誘導体としてはカルボキシメチルセルロース類などが、ダイセルファインケム株式会社、日本製紙ケミカル株式会社、第一工業製薬株式会社などから、種々の分子量やエーテル化度、イオン性の異なるカルボキシメチルセルロース類を購入することができる。
【００２６】
理由は定かではないが、αグリコシド結合が多い多糖類よりもβグリコシド結合が多い多糖類の方が、分散剤として用いた場合にカーボンナノチューブの水への分散性は良く、多糖類としては好ましいのはβグリコシド結合によって縮合した多糖類であり、好ましい多糖類はセルロース系の誘導体である。中でも、アニオン性のセルロース誘導体であるカルボキシメチルセルロース類が最もカーボンナノチューブの高濃度、高分散に適している。
【００２７】
パーフルオロアルキル基を有する水溶性化合物はカーボンナノチューブ水分散液の表面張力を低下させるために使用する。表面張力を低下させる能力はフッ素系の界面活性剤が最も好ましい。パーフルオロ基を有する水溶性化合物を用いる理由は、気−液界面の空気側にフッ化炭素鎖が配向しやすいため水の表面がテフロン(登録商標)類似の低い表面張力を呈するからである。フッ化炭素基はファンデルワールス力が小さいため、分子間力が非常に弱く、分子の凝集力が弱いため表面張力が非常に低くなる。従って、パーフルオロ基を有する水溶性化合物は、疎水性基が短くても低濃度側で高い界面活性を呈す。なかでもフッ素系界面活性剤と呼ばれる水溶性化合物が特に好ましく、フッ素系界面活性剤の臨界ミセル濃度は同炭素数の炭化水素系界面活性剤よりも桁違いに低く、極めて微量でも表面張力を大きく低下させるからである。
【００２８】
また、分散剤と表面張力を低下させる試薬の組み合わせは、種々考えられるが、単にカーボンナノチューブの分散剤と界面活性剤などを混ぜ合わせると、分散剤の溶解性が変化する、溶解時の分子形態が変化する、界面活性剤の方が分散剤よりカーボンナノチューブへの親和性が強く、分散剤と界面活性剤が入れ替わってしまい分散液の特性が変化する、カーボンナノチューブが凝集するといった、様々な問題が生じる。
【００２９】
本発明において多糖類とパーフルオロアルキル基を有する水溶性化合物の組み合わせが良い理由は明確になっていないが、以下のような理由によると考えている。水溶性のフッ素系化合物は水の表面張力を低下させる界面活性作用を有し、カーボンナノチューブとの相互作用が比較的弱いので、カーボンナノチューブの分散剤と置き換わりにくい。ただし、添加した水溶性のフッ素系化合物よりカーボンナノチューブとの相互作用が弱い分散剤を使用していた場合は本発明で使用しているパーフルオロアルキル基を有する水溶性化合物を添加すると、分散剤と置き換わろうとする作用が働き、分散剤がカーボンナノチューブ表面から剥がれてしまい、カーボンナノチューブが凝集する。本発明では、カーボンナノチューブとの相互作用の強さが、多糖類＞パーフルオロアルキル基を有する水溶性化合物となっているため安定なカーボンナノチューブ水分散液となっていると考えられる。また、パーフルオロアルキル基を有する水溶性化合物はカーボンナノチューブ水分散液の表面張力を低下させるだけでなく、基材に塗布した際の液−固界面張力も低下させる効果があり、この効果によって本発明のカーボンナノチューブ水分散液は種々の樹脂、ガラス、金属等へ塗布する事が可能となる。
【００３０】
また、多糖類とパーフルオロアルキル基を有する水溶性化合物の組み合わせとしてより具体的に好ましい組み合わせは、ノニオン性の多糖類を分散剤として用いた場合は、ノニオン性のパーフルオロアルキル基を有する水溶性化合物を用いるのが良く、カチオン性の多糖類の場合はカチオン性のパーフルオロアルキル基を有する水溶性化合物と組み合わせ、アニオン性の多糖類の場合はアニオン性のパーフルオロアルキル基を有する水溶性化合物と組み合わせるのが良い。アニオン性、カチオン性、ノニオン性の組み合わせが異なる場合、カーボンナノチューブ水分散液の安定性が悪くなる。ノニオン性同士の組み合わせは、不純物の混入によって電荷バランスが崩れた時の影響を受けやすいので、好ましくはアニオン性同士の組み合わせかカチオン性同士の組み合わせを用いるのが好適である。
【００３１】
組み合わせの別の指標としては、多糖類とパーフルオロアルキル基を有する水溶性化合物それぞれのゼータ電位を測定し、マイナスの値を示すもの、０となるもの、プラスとなるものをそれぞれ同じ電荷同士で組み合わせると良く、両性イオンの物質を用いる場合にはゼータ電位を基準とするのが好ましい。
【００３２】
パーフルオロアルキル基を有する水溶性化合物の例としては、パーフルオロアルキル基を有する、アルコール基、カルボン酸基、スルホン酸基、リン酸基、ポリエチレングリコール基から選択される基を有する化合物が挙げられる。特に好ましくは、一般にフッ素系界面活性剤と呼ばれる化合物を使用すると、添加量が少量で高い効果を得られる。フッ素系界面活性剤を用いると、好ましい条件下では、添加量としてカーボンナノチューブ分散液全量に対して１０ｗｔ％以下で効果を発揮し、より好適な条件では５ｗｔ％で効果を発揮し、更に好適な条件下では１ｗｔ％以下の添加量で効果を発揮し、最も好適な条件下では０．５ｗｔ％以下の添加量で効果を発揮する。更に最適な条件下では０．１ｗｔ％以下の添加量で効果を発揮する。あまりに低濃度になると効果がなくなり、下限はせいぜい０．００１ｗｔ％である。
【００３３】
パーフルオロアルキル基を有する水溶性化合物として界面活性剤を用いる場合、別の指標として、臨界ミセル濃度を測定し、臨界ミセル濃度以上の濃度で添加すると、効果を十分に得ることが可能である。ただし、界面活性剤は一般的には導電性を示さない物質が多いため、特に好ましい添加量としては臨界ミセル濃度付近の濃度で用いるのが良い。
【００３４】
中でも臨界ミセル濃度が５ｗｔ％〜０．００１ｗｔ％の範囲、より好ましくは１ｗｔ％〜０．００１ｗｔ％の範囲にある界面活性剤を使用すると、少ない添加量で効果を発揮するので好ましい。
【００３５】
フッ素系界面活性剤のうち、ある種のものは大日本インキ化学工業社からメガファック（Ｍｅｇａｆａｃ）Ｆなる商品名で、旭硝子社からサーフロン（Ｓｕｒｆｌｏｎ）なる商品名で、ミネソタ・マイニング・アンド・マニファクチュアリング・カンパニー社からフルオラッド（Ｆｌｕｏｒａｄ）ＦＣなる商品名で、インペリアル・ケミカル・インダストリー社からモンフロール（Ｍｏｎｆｌｏｒ）なる商品名で、イー・アイ・デュポン・ネメラス・アンド・カンパニー社からゾニルス（Ｚｏｎｙｌｓ）なる商品名で、ファルベベルケ・ヘキスト社からリコベット（Ｌｉｃｏｗｅｔ）ＶＰＦなる商品名で、また、ネオス社製からフタージェント（ＦＴＥＲＧＥＮＴ）なる商品名でそれぞれアニオン性、ノニオン性、カチオン性の化合物が市販されている。
【００３６】
アニオン性であれば、大日本インキ社製のメガファックスＦ−４１０、ネオス社製のフタージェント１００、フタージェント１５０ＣＨ、フタージェントＡ、旭硝子社のサーフロンＳ−２１１などが挙げられる。
【００３７】
非イオン性フッ素系界面活性剤としては、例えば、大日本インキ社製のメガファックス１４４Ｄ、同Ｆ４４４、同ＴＦ−２０６６、旭硝子社製のサーフロンＳ−１４１、同１４５、同２４１、ネオス社製のフタージェント２５１等を挙げることができ、また、両性フッ素系界面活性剤としては、例えば、旭硝子社製のサーフロンＳ−１３１、同１３２等を挙げることができる。これらのうちから好適に選択するとよいが、分散剤がアニオン性のカルボキシメチルセルロース類である場合はアニオン性のフッ素化合物を選択するのが最も好ましい。
【００３８】
パーフルオロアルキル基の部分の構造は、直鎖、枝分かれ、環状、様々ではあるが、中でも枝分かれ状の構造がフッ素化合物同士の相互作用が弱くなり、表面張力が低下し易いため好ましい。また、パーフルオロアルキル基の炭素数については、分子構造中の親水基が１つの場合は２〜２０個程度が好ましく、より好ましくは３〜１２個程度が好適である。この様なフッ素化合物としては、例えばネオス株式会社製のフタージェントなる試薬が挙げられる。
【００３９】
本発明のカーボンナノチューブ水分散液は２０℃における表面張力が７０ｍＮ／ｍ以下であることが好ましい。カーボンナノチューブ水分散液の表面張力は低ければ低いほど各種基材への塗れ性が良くなるため好ましい。好ましくは６０ｍＮ／ｍ以下であるが、より好ましくは５０ｍＮ／ｍ以下、更に好ましくは４０ｍＮ／ｍ以下であると、はじきやムラが少なくなり好ましい。ムラを更に少なくしたい場合は３４ｍＮ／ｍ以下に調製するのが好ましく、３０ｍＮ／ｍ以下がより好ましく、最も好ましい表面張力の値は２５ｍＮ／ｍ以下である。表面張力は例えば自動接触角計（協和界面科学株式会社製）を用いて測定することが出来る。
【００４０】
塗布方法にもよるが、ムラを少なくしたい場合は、カーボンナノチューブ水分散液の粘度を低くするとムラが生じにくくなる。塗布方法によっても基準は変わるが、例えば、東機産業株式会社製のＥ型粘度計（ＲＥ−８０Ｌ）を用いた場合で２５℃、５０ｒｐｍ、２ｍｉｎ間、１°３４′×Ｒ２４のローターで測定した場合、１００ｍＰａ・ｓ以下である事が好ましく、より好ましくは６０ｍＰａ・ｓ以下であり、更に好ましくは３０ｍＰａ・ｓ以下、最も好ましくは１０ｍＰａ・ｓ以下であり、更に最も好ましい値は６ｍＰａ・ｓ以下である。下限について塗布性の観点からは特に制限はなく、低い方が好ましいが、膜厚をコントロールしやすい観点では、粘度は１ｍＰａ・ｓ以上であることが好ましい。
【００４１】
粘度、表面張力は分散剤に用いた多糖類と添加剤であるパーフルオロアルキル基を有する水溶性化合物の量を変えることによって調整することが可能である。
【００４２】
また、本発明のカーボンナノチューブ水分散液を用いれば、好適な条件下では１．０×１０２〜１．０×１０１３Ω／□の導電膜を形成することが可能であり、膜厚をコントロールする事によってこの範囲で表面抵抗値を調製可能である。膜厚のコントロールはディップコートであるならば引き上げ速度の調製で、スピンコートであるならば回転数の調整で、ロール、ブレード等のコーターを使用するならば、コーターの種類を変えることで調製可能である。好適な条件下では１．０×１０２〜１．０×１０１３Ω／□の範囲での調製が可能であり、別の好適な条件下では１．０×１０２〜１．０×１０１０Ω／□の範囲での調製が可能であり、さらに別の好適な条件下では１．０×１０２〜１．０×１０８Ω／□の範囲での調製が可能であり、また別の好適な条件下では１．０×１０２〜１．０×１０７Ω／□の範囲での調製が可能であり、さらにまた別の好適な条件下では１．０×１０２〜１．０×１０６Ω／□の範囲での調製が可能であり、より別の好適な条件下では１．０×１０２〜１．０×１０５Ω／□の範囲での調製が可能であり、最も好適な条件下では１．０×１０２〜１．０×１０４Ω／□の範囲での調製が可能である。表面抵抗値は例えばロレスタＥＰ（株式会社ダイアインスツルメンツ社製、ＭＣＰ−Ｔ３６０）を使用して表面抵抗値を測定することが出来る。
【００４３】
本発明のカーボンナノチューブ水分散液はカーボンナノチューブの濃度が３．０×１０−３ｗｔ％の時、粒度分布測定をおこなった際のメディアン径が１００ｎｍから４０００ｎｍの範囲内であることが好ましい。メディアン径が小さいほどカーボンナノチューブの分散性が良い事を示しているが、カーボンナノチューブが高度に分散している分散液中では、メディアン径はカーボンナノチューブの長さも反映した値となり、余り小さいとカーボンナノチューブの長さが短いということになり、短いカーボンナノチューブは膜を形成した際に、カーボンナノチューブ同士の接点が多くなり、長いカーボンナノチューブと比べて導電性が劣るようになるため、メディアン径は小さすぎない方が良い。また、塗布方法にもよるが、大きすぎると分散液を塗布した際に塗りムラが生じ易くなる。よって、メディアン径は適度な範囲が存在する。好ましいメディアン径は１００ｎｍから４０００ｎｍだが、より好ましくは２００ｎｍから３０００ｎｍであり、更に好ましくは３００ｎｍから２０００ｎｍであり、最も好ましくは４００ｎｍから１５００ｎｍである。粒度分布測定は、例えばカーボンナノチューブの濃度が３．０×１０−３ｗｔ％になるようにイオン交換水で希釈して、大塚電子株式会社製のゼータ電位・粒径測定システムＥＬＳ−Ｚ１／Ｚ２を用いて測定することが出来、粒径の制御は分散時間を調整することでおこなうことが可能である。
【００４４】
本発明のカーボンナノチューブ水分散液を用いれば、透明性を必要とする基材に塗布した場合でも、高い透明性と優れた外観の透明導電膜を形成可能である。本発明のカーボンナノチューブ水分散液を塗布乾燥後、透過率を縦横それぞれ１ｃｍ間隔で９点以上測定した場合、透過率の上限と下限の差が１％以内となる。好適な条件で塗布した場合は０．５％以内となり、更に好適な条件下で塗布した場合は０．３％以内となる。
【００４５】
本発明のカーボンナノチューブ水分散液の調製方法については、分散剤として多糖類、添加剤としてパーフルオロアルキル基を有する水溶性化合物を用いる限り、特に制限はなく、多糖類とカーボンナノチューブとパーフルオロアルキル基を有する水溶性化合物を混合後、分散処理をしてもかまわないが、好ましくは多糖類によってカーボンナノチューブを分散後、パーフルオロアルキル基を有する水溶性化合物を混合するのが好適である。分散手法は特に制限がなく、カーボンナノチューブが分散すれば良い。ビーズミル、ボールミル、ロールミル、粉砕ミル、撹拌ホモジナイザー、超音波ホモジナイザーなどが好適であるが、最も効率よく分散できるという点で、超音波ホモジナイザーを用いた分散方法が好ましい。混合方法にも特に制限はなく、必要量を混合後、分散処理をすればよいが、予め、それぞれの試薬の希釈溶液を調製してから混合するのも良い。
【００４６】
分散条件として分散時間を長くするほどカーボンナノチューブは分散していくため、前記、粒度分布測定によるメディアン径は分散時間が長くなるほど小さくなる。
【００４７】
かくして得られる本発明のカーボンナノチューブ水分散液は、多種多様な基材に塗布可能であり、少量で優れた透明性と帯電防止性を有する導電性膜形成用の塗液とすることが可能であり、帯電防止インクとして極めて実用的に用いることができる。
【００４８】
また、本発明のカーボンナノチューブ水分散液の基材への塗布方法は特に制限は無く、ディップコート、スピンコート、ロールコート、スプレーコートなど、基材の形状に合わせて無理のない塗布方法を選択すると良い。本発明のカーボンナノチューブ水分散液は好適な条件では、どの様な塗布方法を用いても塗りムラなく均一に塗布することが可能だが、好ましい条件下では、例えば、ディップコートなら引き上げ速度の調整、スピンコートなら滴下量と回転数の調整、ロールコートなら塗布厚みの調整、スプレーコートなら塗布量の調整で種々の基材へ形状にとらわれず、均一に塗布することが可能である。
【００４９】
ここで言う種々の基材とは、一般に樹脂、金属およびガラスと呼ばれる具材であり、より具体的には、例えば樹脂では、熱可塑性樹脂として、炭化水素系プラスチックでは、ポリエチレン、ポリプロピレン、ポリメチルペンテン、ポリブテン、結晶性ポリブタジエン、ポリスチレン、ポリブタジエン、スチレンブタジエン樹脂、極性ビニル系プラスチックでは、ポリ塩化ビニル、ポリ酢酸ビニル、ポリ塩化ビニリデン、エチレン酢酸ビニル共重合体、アクリロニトリルスチレン共重合体（ＡＳ）、アクリロニトリルブタジエンスチレン共重合体（ＡＢＳ）、アイオノマー、アクリロニトリル塩素化ポリエチレンスチレン共重合体（ＡＣＳ）、ポリメチルメタクリレート（アクリル樹脂、ＰＭＭＡ）、ポリテトラフルオロエチレン、エチレンポリテトラフルオロエチレン共重合体、線状構造プラスチックでは、ポリアセタール（ポリオキシメチレン）、ポリアミド、ポリカーボネート、ポリフェニレンエーテル、ポリエチレンテレフタレート、ポリブチレンテレフタレート、ポリアリレート（Ｕポリマー）、ポリスチレン、ポリエーテルスルホン、ポリイミド、ポリアミドイミド、ポリフェニレンスルフィド、ポリオキシベンゾイル、ポリエーテルエーテルケトン、ポリエーテルイミド、その他液晶ポリエステルなどが挙げられ、セルロース系プラスチックでは酢酸セルロース、酢酪酸セルロース、セロファン、セルロイドなどが挙げられ、熱可塑性エラストマーではスチレン・ブタジエン系、ポリオレフィン系、ウレタン系、ポリエステル系、ポリアミド系、１，２−ポリブタジエン、ポリ塩化ビニル系、アイオノマーなどが挙げられる。
【００５０】
また、熱硬化性樹脂として、ホルムアルデヒド樹脂ではホルムアルデヒドとの縮合反応で架橋・硬化を行うタイプ、フェノール樹脂ではフェノール樹脂原料に充填剤と強化剤を加えて樹脂原料とする原料を加熱し、三次元化な架橋を形成して硬化させるタイプ、アミノ樹脂（ユリア樹脂，メラミン樹脂，ベンゾグアナミン樹脂）では縮合相手が、それぞれ尿素、メラミン、グアナミンなどが挙げられる。架橋型樹脂では架橋をホルムアルデヒドとの縮合以外の反応を利用するタイプ。不飽和ポリエステル樹脂では不飽和脂肪酸（無水フタル酸，無水マレイン酸など）と２価アルコール（エチレングリコールなど）との不飽和ポリエステルの主鎖中の２重結合にスチレンをビニル共重合して架橋させたタイプの樹脂、ジアリルフタレート樹脂（アリル樹脂）では、無水フタル酸とアリルアルコールとのジアリルエステルをスチレン、酢酸ビニルなどで架橋・硬化させたタイプの樹脂。アルキド樹脂では多価アルコールと２価カルボン酸と１価の高級脂肪酸とをエステル結合したポリエステルタイプの樹脂。グリセリン（多価アルコール）と無水フタル酸とを重付加・重縮合し、架橋・硬化するグリプタル樹脂も含まれる。エポキシ樹脂ではエチレンオキシドなどのオキシランの開環反応と重合・架橋反応を利用した樹脂（硬化には，アミンや酸無水物などの硬化剤を使う）タイプ。主なエポキシ樹脂として、ビスフェノールＡ型エポキシ樹脂、ノボラック型エポキシ樹脂、多官能基エポキシ樹脂、脂環状エポキシ樹脂（主な硬化剤はジアミン，ポリアミン，ポリアミド，ビニルフェノール，無水有機酸（無水フタル酸，無水トリメリット酸，無水ピロメリット酸））が挙げられ、ウレタン樹脂（ポリウレタン）では、グリコールとジイソシアネートとからなるポリウレタン（熱可塑性樹脂）を三次元化したものと、しないものなどが挙げられ。ケイ素樹脂（シリコーン）ではガラスを構成するケイ素骨格にメチル基やベンゼン環などの有機性基を導入してできる樹脂で，ゴム状のものから硬い樹脂まで挙げられる。
【００５１】
金属では、鉄、鋼、ニッケル、銅、亜鉛、鉛、ステンレス、その他合金などが挙げられ、ガラスは硼酸ガラス、パイレックス(登録商標)、石英ガラスなどが挙げられる。  本発明の２層カーボンナノチューブ分散液の粘度は１ｍＰａ・ｓから１０ｍＰａ・ｓであることが好ましい。粘度は分散液中の溶質量の影響を受けるが、２層カーボンナノチューブを用いた場合は、前記範囲であると、より均一に塗りやすく、好適である。粘度が高すぎると均一になりにくくなる傾向がみられる。また、粘度が低すぎると膜厚をコントロールしにくくなるため、粘度は１ｍＰａ・ｓ以上であることが好ましい。粘度は、例えば東機産業株式会社性のＥ型粘度計（ＲＥ−８０Ｌ）を使用して測定する事が可能である。
【００５２】
本発明に用いるカーボンナノチューブの製造方法については特に制限はないが、Ｇ／Ｄ比が高く、また外径の細い２層カーボンナノチューブが簡便に製造できる方法として、例えば以下のようにして製造することが可能である。
【００５３】
担体に鉄を担持した粉末状の触媒を、反応器内で炭素含有化合物と５００〜１２００℃で接触させる。反応器は、上記カーボンナノチューブが得られる限りどの様なものを用いても構わないが、均質なカーボンナノチューブが得られるという点で縦型反応器を用いるのが好ましい。縦型反応器とは、鉛直方向（以下「縦方向」称する場合もある）に設置された反応器を有し、該反応器の一方の端部から他方の端部に向けた方向に炭素含有化合物が流通し、該炭素含有化合物が、カーボンナノチューブ製造用触媒で形成される触媒層を通過する態様で流通し得る機構を備えたものである。反応器は、例えば管形状を有する反応器を好ましく用いることができる。なお、上記において、鉛直方向とは、鉛直方向に対して若干傾斜角度を有する方向をも含む（例えば水平面に対し９０°±１５°、好ましくは９０°±１０°）。最も好ましいのは鉛直方向である。なお、炭素含有化合物の供給部および排出部は、必ずしも反応器の端部である必要はなく、炭素含有化合物が、その流通過程で触媒層を通過すればよい。
【００５４】
触媒は、縦型反応器中、反応器の水平断面方向全面に存在させた状態にあるのが好ましい。このようにすることにより、触媒と炭素含有化合物を有効に接触させることができる。横型反応器の場合、このような状態にするには、重力がかかる関係上、触媒を左右から挟み込む必要がある。しかし、カーボンナノチューブの生成反応の場合、反応するに従って触媒上にカーボンナノチューブが生成して、触媒の体積が増加するので、左右から触媒を挟みこむ方法よりも縦型反応器中、反応器の水平断面方向全面に存在させた状態にある方が好ましい。本発明では反応器を縦型にし、反応器内にガスが透過できる台を設置して、その上に触媒を置くことによって、触媒を両側から挟みこむことなく、反応器の断面方向に均一に触媒を存在させることができる。本発明において、触媒を縦型反応器の水平断面方向全面に存在させた状態とは、水平断面方向に全体に触媒が広がっていて触媒底部の台が見えない状態を言う。反応器は耐熱性であることが好ましく、石英製、アルミナ製等の耐熱材質からなることが好ましい。
【００５５】
反応器内に設置された触媒層の下部、もしくは上部から炭素含有化合物を通過させて、触媒と接触させ、反応させることによりカーボンナノチューブを生成する。触媒と炭素含有化合物とを接触させる温度は、５００〜１２００℃である。温度は、６００〜９５０℃がより好ましく、さらに好ましくは７００℃〜９００℃の範囲である。温度が低すぎると、カーボンナノチューブの収率が悪くなる。また温度が高すぎると、使用する反応器の材質に制約があると共に、カーボンナノチューブ同士の接合が始まり、カーボンナノチューブの形状のコントロールが困難になる。炭素含有化合物を接触させながら反応器を反応温度にしてもよいし、熱による前処理終了後、反応器を反応温度にしてから、炭素含有化合物の供給を開始しても良い。
【００５６】
鉄を担持する担体は、マグネシアが好ましい。触媒である鉄を、担体であるマグネシアに担持させることにより、鉄の粒径をコントロールしやすく、また高密度で鉄が存在しても高温下でシンタリングが起こりにくい。そのため、高品質なカーボンチューブを効率よく多量に合成することができる。さらに、マグネシアは酸性水溶液に溶けるので、酸性水溶液で処理するだけでマグネシアおよび鉄の両者を取り除くこともできるため、精製工程を簡便化することができる。
【００５７】
マグネシアは、市販品を使用しても良いし、合成したものを使用しても良い。マグネシアの好ましい製法としては、金属マグネシウムを空気中で加熱する、水酸化マグネシウムを８５０℃以上に加熱する、炭酸水酸化マグネシウム３ＭｇＣＯ３・Ｍｇ（ＯＨ）２・３Ｈ２Ｏを９５０℃以上に加熱する等の方法がある。
【００５８】
触媒に担持する鉄は、０価の状態とは限らない。反応中は０価の金属状態になっていると推定できるが、広く鉄を含む化合物または鉄種でよい。例えば、ギ酸鉄、酢酸鉄、トリフルオロ酢酸鉄、クエン酸アンモニウム鉄、硝酸鉄、硫酸鉄、ハロゲン化物鉄などの有機塩または無機塩、エチレンジアミン４酢酸錯体やアセチルアセトナート錯体のような錯塩などが用いられる。また鉄は微粒子であることが好ましい。微粒子の粒径は０．５〜１０ｎｍであることが好ましい。鉄が微粒子であると外径の細いカーボンナノチューブが生成しやすい。
【００５９】
マグネシアに鉄を担持させる方法は、特に限定されない。例えば、担持したい鉄の塩を溶解させた非水溶液（例えばエタノール溶液）中または水溶液中に、マグネシアを含浸し、攪拌や超音波照射などにより充分に分散混合した後、乾燥させる方法（含浸法）を用いることができる。さらに空気、酸素、窒素、水素、不活性ガスおよびそれらの混合ガスから選ばれたガス中または真空中で高温（３００〜１０００℃）で加熱することにより、マグネシアに鉄を担持させてもよい。
【００６０】
鉄担持量は、多いほどカーボンナノチューブの収量が上がるが、多すぎると鉄の粒子径が大きくなり、生成するカーボンナノチューブが太くなる。鉄担持量が少ないと、担持される鉄の粒子径が小さくなり、外径が細く、かつ外径分布も比較的狭いカーボンナノチューブが得られるが、収率が低くなる傾向がある。最適な鉄担持量は、マグネシアの細孔容量や外表面積、担持方法によって異なるが、マグネシアに対して０．１〜２０重量％の鉄を担持することが好ましい。
【００６１】
カーボンナノチューブを生成させる反応の前に、触媒に熱による前処理を行ってもよい。熱による前処理の時間は、特に限定しないが、長すぎるとマグネシア上で金属の凝集が起こり、それに伴い外径の太いカーボンナノチューブが生成することがあるので、１２０分以内が好ましい。前処理の温度は、触媒活性が発揮されれば反応温度以下でも構わないし、反応温度と同じでも、反応温度以上でも構わない。熱による前処理を行うことにより、触媒をより活性な状態にすることもある。熱による前処理、およびカーボンナノチューブを生成させる反応は、減圧もしくは大気圧で行うことが好ましい。
【００６２】
触媒と炭素含有化合物の接触を減圧で行う場合は、真空ポンプなどで反応系を減圧にすることができる。また大気圧で前処理や反応を行う場合は、炭素含有化合物と希釈ガスを混合した、混合ガスとして触媒と接触させてもよい。
【００６３】
希釈ガスとしては、特に限定されないが、酸素ガス以外のものが好ましく使用される。酸素は爆発の可能性があるので通常使用しないが、爆発範囲外であれば使用しても構わない。希釈ガスとしては、窒素、アルゴン、水素、ヘリウム等が好ましく使用される。これらのガスは、炭素含有化合物の線速や濃度のコントロールおよびキャリヤガスとして効果がある。水素は、触媒金属の活性化に効果があるので好ましい。アルゴンの如き分子量が大きいガスは、アニーリング効果が大きく、アニーリングを目的とする場合には好ましい。特に窒素およびアルゴンが好ましい。
【００６４】
使用する炭素含有化合物は、Ｇ／Ｄ比の高い２層カーボンナノチューブ集合体が得られるならば、特に限定されないが、好ましくは炭化水素または酸素含有炭素化合物を使うとよい。炭化水素は芳香族であっても、非芳香族であってもよい。芳香族の炭化水素では、例えばベンゼン、トルエン、キシレン、クメン、エチルベンゼン、ジエチルベンゼン、トリメチルベンゼン、ナフタレン、フェナントレン、アントラセンまたはこれらの混合物などを使用することができる。また、非芳香族の炭化水素では、例えばメタン、エタン、プロパン、ブタン、ペンタン、ヘキサン、ヘプタン、エチレン、プロピレンもしくはアセチレン、またはこれらの混合物等を使用することができる。酸素含有炭素化合物としては、例えばメタノール、エタノール、プロパノール、ブタノールのごときアルコール類；アセトンのごときケトン類；ホルムアルデヒド、アセトアルデヒドのごときアルデヒド類；トリオキサン、ジオキサン、ジメチルエーテル、ジエチルエーテルのごときエーテル類；酢酸エチルなどのエステル類；一酸化炭素またはこれらの混合物であってもよい。これらの中でも、メタン、エタン、エチレン、アセチレン、プロパンおよびプロピレンから選ばれた化合物が純度の高いカーボンナノチューブを得られる点で好ましい炭素含有化合物である。特にメタンを用いるとグラファイト化度の高い２層カーボンナノチューブが得られるので好ましい。これらは常温、常圧中で気体であるため、ガスとして供給量を規定して反応に供しやすい。他の炭素含有化合物は常圧で反応を行う場合、気化などの工程を追加する必要がある。
【００６５】
以上のように生成したカーボンナノチューブを気相中で酸化処理すると優先的に単層カーボンナノチューブやアモルファスカーボンが焼成され、除去される。それによって、Ｇ／Ｄ比の高い２層カーボンナノチューブが得られる。
【００６６】
カーボンナノチューブの気相中での酸化処理方法は、酸化性を有する気体の存在下にカーボンナノチューブ集合体をさらす工程である。上記酸化性の気体とは、処理温度にカーボンナノチューブ集合体をさらしたときに、カーボンナノチューブ集合体に対して酸化性を示す気体であれば特に制限はないが、一酸化炭素、二酸化炭素、オゾン、酸素、または空気などが挙げられる。気体の組成は、これらの気体の混合気体であっても、その他カーボンナノチューブ集合体に対して酸化性を示さない気体（不活性ガス）が混合されていてもかまわない。
【００６７】
気相中での酸化処理は、カーボンナノチューブの燃焼ピークよりあまりにも低い温度で焼成処理を行った場合、単層カーボンナノチューブは焼成されず、除去されない場合が多いため、カーボンナノチューブ組成物を示差熱分析したときのカーボンナノチューブの燃焼ピーク温度−５０℃以上の温度で行うのがより好ましい。また、カーボンナノチューブは、通常石英管を反応管として合成される場合が多く、この場合は、酸化処理の温度は、１２００℃以下であるのが好ましく、より好ましくは１０００℃以下でおこなうのが好適である。酸化処理を１２００℃を越える温度でおこなう場合は、使用する装置の材質を、それに耐えるように選択することが望ましい。また、カーボンナノチューブの燃焼ピーク温度よりあまりにも高い温度で酸化処理を行うと、今度は生成カーボンナノチューブ全てが焼成されて消失してしまう。よってカーボンナノチューブの燃焼ピーク温度付近で酸化処理するのが好ましく、カーボンナノチューブの燃焼ピーク温度±２５℃付近で酸化処理するのがより好ましい。
【００６８】
酸化処理は電気炉でおこなっても良いし、カーボンナノチューブ合成後に、反応器内を空気雰囲気または空気の濃度を不活性ガスで低くしておこなってもよい。酸化処理は、電気炉でおこなう場合には通常約１０ｇ程度で行い、それに満たない少量の場合は、可能な量で行う。酸化処理時間は特に限定されない。通常は１時間から１０時間の間で行うことが好ましい。
【００６９】
この様にして合成されたカーボンナノチューブは好適な条件下ではＧ／Ｄ比が３０から２００、より好適な条件下では４０から２００、更に好適な条件下では５０から２００である２層カーボンナノチューブを製造可能である。
【実施例】
【００７０】
以下、実施例により本発明を具体的に説明するが、下記の実施例は例示のために示すものであって、いかなる意味においても、本発明を限定的に解釈するものとして使用してはならない。
【００７１】
＜参考＞
［カーボンナノチューブ製造用触媒調製例］
クエン酸アンモニウム鉄（緑色）（和光純薬工業社製）２．４５９ｇをメタノール（関東化学社製）５００ｍＬに溶解した。この溶液に、軽質マグネシア（岩谷社製）を１００ｇ加え、室温で６０分間攪拌し、４０℃から６０℃で攪拌しながら減圧乾燥してメタノールを除去し、軽質マグネシア粉末に金属塩が担持された触媒を得た。
【００７２】
［カーボンナノチューブ製造例］
図１に示した流動床縦型反応装置でカーボンナノチューブを合成した。図１は前記流動床縦型反応装置の概略図である。
【００７３】
反応器１００は内径３２ｍｍ、長さは１２００ｍｍの円筒形石英管である。中央部に石英焼結板１０１を具備し、石英管下方部には、不活性ガスおよび原料ガス供給ライン１０４、上部には廃ガスライン１０５および、触媒投入ライン１０３を具備する。さらに、反応器を任意温度に保持できるように、反応器の円周を取り囲む加熱器１０６を具備する。加熱器１０６には装置内の流動状態が確認できるよう点検口１０７が設けられている。
【００７４】
触媒１２ｇを取り、密閉型触媒供給器１０２から触媒投入ライン１０３を通して、石英焼結板１０１上に触媒調製例１で示した触媒１０８をセットした。次いで、原料ガス供給ライン１０４からアルゴンガスを１０００ｍＬ／分で供給開始した。反応器内をアルゴンガス雰囲気下とした後、温度を８５０℃に加熱した（昇温時間３０分）。
【００７５】
８５０℃に到達した後、温度を保持し、原料ガス供給ライン１０４のアルゴン流量を２０００ｍＬ／分に上げ、石英焼結板上の固体触媒の流動化を開始させた。加熱炉点検口１０７から流動化を確認した後、さらにメタンを９５ｍＬ／分（メタン濃度４．５ｖｏｌ％で反応器に供給開始した。該混合ガスを９０分供給した後、アルゴンガスのみの流通に切り替え、合成を終了させた。
【００７６】
加熱を停止させ室温まで放置し、室温になってから反応器から触媒とカーボンナノチューブを含有するカーボンナノチューブ組成物を取り出した。
この触媒付きカーボンナノチューブ組成物の示差熱分析による燃焼ピーク温度は４５６℃であった。
【００７７】
この触媒付きカーボンナノチューブ組成物２３．４ｇを磁性皿（１５０φ）に取り、予め４４６℃まで加熱しておいたマッフル炉（ヤマト科学社製、ＦＰ４１）にて大気下、４４６℃で２時間加熱した後、マッフル炉から取り出した。次に、触媒を除去するため、カーボンナノチューブ組成物を６Ｎの塩酸水溶液に添加し、室温で１時間攪拌した。濾過して得られた回収物を、さらに６Ｎの塩酸水溶液に添加し、室温で１時間攪拌した。これを濾過し、数回水洗した後、濾過物を１２０℃のオーブンで一晩乾燥することでマグネシアおよび金属が除去されたカーボンナノチューブ組成物を５７．１ｍｇ得ることができた。上記工程を繰り返し、以下の工程に供した。
【００７８】
一方、マッフル炉で消失した炭素量を調べるため、マッフル炉で加熱していない触媒付きのカーボンナノチューブ組成物５．２ｇを６Ｎの塩酸水溶液に添加し、室温で１時間攪拌した。濾過して得られた回収物を、さらに６Ｎの塩酸水溶液に添加し、室温で１時間攪拌した。これを濾過し、数回水洗した後、濾過物を１２０℃のオーブンで一晩乾燥してカーボンナノチューブ組成物が１０７．２ｍｇ得られた。
【００７９】
これを基に換算すると、マッフル炉中での炭素の消失量は８８％であった。また、この様にして得られたカーボンナノチューブ組成物を高分解能透過型電子顕微鏡で観察したところ、カーボンナノチューブ総本数（１００本）のうち８８本を２層カーボンナノチューブが占めていた。この時の層数評価のサンプルは以下のように準備した。カーボンナノチューブ０．５ｍｇとエタノール２ｍＬを２ｍＬサンプル瓶に入れ、超音波バス（ＵＬＴＲＡＳＯＮＩＣ  ＣＬＥＡＮＥＲ  ｙａｍａｔｏ  ２５１０を使用）を用いて、１５分間超音波照射をおこなった。カーボンナノチューブが分散したエタノール溶液をマイクログリッド（ＳＴＥＭ  １５０Ｃｕグリッド、カーボン補強済、グリッドピッチ１５０μｍ）上に滴下して乾燥した。この様に試料の塗布されたグリッドを透過型電子顕微鏡（日本電子製  ＪＥＭ−２１００）に設置し、測定を行った。測定倍率は４０万倍で行った。加速電圧は１００ｋＶである。得られた測定像から１００本のカーボンナノチューブの層数と直径を測定した。
【００８０】
また、この時のカーボンナノチューブの波長６３３ｎｍによるラマン分光分析の結果、Ｇ／Ｄ比は７５であった。
【００８１】
実施例中、カーボンナノチューブの合成と各種物性評価は以下の方法で行った。
【００８２】
［ラマン分光分析によるカーボンナノチューブの性状評価］
共鳴ラマン分光計（ホリバ  ジョバンイボン製  ＩＮＦ−３００）に粉末試料を設置し、６３３ｎｍのレーザー波長を用いて測定を行った。測定に際しては３箇所、別の場所にて分析を行い、Ｇ／Ｄ比はその相加平均で表した。
【００８３】
［表面張力測定］
表面張力は自動接触角計（協和界面科学株式会社製）を用いて測定した。表面張力は２５℃で懸滴法によって６回測定した平均値を表面張力の値とした。
【００８４】
［粘度測定］
粘度はＥ型粘度計ＲＥ−８０Ｌ（東機産業株式会社製）を使用し、液量１ｍＬで標準ローターを用い、２５℃、５０ｒｐｍで、２分間測定した。
【００８５】
［透過率測定］
カーボンナノチューブの光透過率はＵ−２００１型ダブルビーム分光光度計（株式会社  日立製作所製）で５５０ｎｍ光を用いて測定した。
【００８６】
＜実施例１＞
カーボンナノチューブ水分散液の調製
カーボンナノチューブ製造例で示した２層カーボンナノチューブ１５ｍｇを量り取り、アニオン性分散剤であるカルボキシメチルセルロースナトリウム塩（シグマアルドリッチジャパン社製ｌｏｗ  ｖｉｓｃｏｓｉｔｙタイプ）４５ｍｇとイオン交換水１０ｇを混合し、氷浴で冷やしながら、超音波分散機（ＳＯＮＩＣ  ＭＡＴＥＲＩＡＬＳ  ＩＮＣ社製、ＭＯＤＥＬ：ＶＣ１３０、ＵＬＴＲＡＳＯＮＩＣ  ＰＲＯＣＥＳＳＯＲ）を使用して、装置表示２０Ｗで３分間分散した。得られたカーボンナノチューブ分散液にパーフルオロアルキル基を有する水溶性化合物として、アニオン性のフッ素系界面活性剤であるフタージェント１００（ネオス株式会社製）を７５ｍｇとイオン交換水６５ｇを加え、撹拌子で約３０分撹拌することによって、カーボンナノチューブ水分散液を得た。粘度は２．０３ｍＰａ・ｓ（２５℃）、粒度分布測定によるメディアン径は６５１ｎｍであった。分散液の安定性とＰＥＴフィルム（ルミラーＵ３５）に対する濡れ性を調べた結果を表１に示す。濡れ性は、ＰＥＴフィルム上に帯形状にカーボンナノチューブ水分散液を塗布し、乾燥（６０℃、１５分）時に帯形状を保ったまま乾燥した場合を塗布出来た（○）帯形状が変化した状態で乾いた場合を塗布できずにはじいた（×）と判断した。
【００８７】
＜実施例２＞
実施例１で調製したカーボンナノチューブ水分散液を用いて、種々の５ｃｍ角に切り出した基材に対する濡れ性を調べた。また、基材をカーボンナノチューブ水分散液に浸けた後、垂直にした状態で風乾し、表面抵抗値を調べた。また、ハードコート後、不織布（ＰＥＴ製）で３０秒間基材を擦り、スチールウールの付着性を調べた。スチールウールが付着しなかった場合を○とした。結果を表２に示す。ハードコートは和光ケミカル社製スーパーハードを使用した。
ＰＥＴ＝ポリエチレンテレフタレート、ＰＥ＝ポリエチレン、ＰＰ＝ポリプロピレン、エポキシ樹脂＝ビスフェノールＡをジアミノフェニルスルホンで硬化させた硬化物
【００８８】
＜実施例３＞
実施例１と同様に分散液を調製し、カーボンナノチューブの量を０．０２ｗｔ％に固定し、分散剤と添加剤（表３にはＦＴと表記）の比率を変えたカーボンナノチューブ水分散液を調製した。調製したカーボンナノチューブ水分散液に５ｃｍ角に切り出したＰＥＴフィルム（ルミラーＵ３５）を浸し、引き上げ後、垂直な状態で風乾し、ムラの発生を観察した。カーボンナノチューブ水分散液の粘度、表面張力と塗りムラの有無（外観）の関係を調べた（表３）。フィルムを縦横それぞれ１ｃｍ間隔で１６点測定した時の透過率の高い部分と低い部分の差が０．３％以内を外観○、０．３〜０．５％以内を外観△、０．５％以上の差があった場合を外観×と表記した。ＣＮＴの濃度は０．０２ｗｔ％で調製した。また、ハードコート後、不織布（ＰＥＴ製）で３０秒間基材を擦り、スチールウールの付着性を調べた。スチールウールが付着しなかった場合を○とした。結果を表２に示す。ハードコートは和光ケミカル社製スーパーハードを使用した。
【００８９】
＜実施例４＞
実施例１において、カーボンナノチューブとして名城ナノカーボン社製の単層カーボンナノチューブ１５ｍｇを用い、パーフルオロアルキル基を有する水溶性化合物として、アニオン性のフッ素系界面活性剤であるフタージェント１５０ＣＨを７５ｍｇ用いた意外は、同様にしてカーボンナノチューブ水分散液を調製した。結果を表１に示す。
【００９０】
＜比較例１＞
実施例１においてフタージェント１００の代わりにアニオン性の炭化水素系界面活性剤であるドデシルベンゼンスルホン酸（東京化成株式会社製、ハード型）を用いてカーボンナノチューブ水分散液を調製した。結果を表１に示す。
【００９１】
＜比較例２＞
実施例１においてフタージェント１００の代わりにノニオン性の炭化水素系界面活性剤であるトリトンＸ−１００を用いてカーボンナノチューブ水分散液を調製した。結果を表１に示す。
【００９２】
＜比較例３＞
実施例１においてカルボキシメチルセルロースの代わりにポリスチレンスルホン酸ナトリウムエン（アルドリッチジャパンより購入、分子量１００万）を用いてカーボンナノチューブ水分散液を調製した。結果を表１に示す。
【００９３】
＜比較例４＞
比較例１で調整したカーボンナノチューブ水分散液の種々の基材への濡れ性を調べた。濡れた場合を○、濡れなかった場合を×としるした。結果を表４に記す。
【００９４】
【表１】
0005585325.tif 000002
【００９５】
【表２】
0005585325.tif 000003
【００９６】
【表３】
0005585325.tif 000004
【００９７】
【表４】
0005585325.tif 000005
【符号の説明】
【００９８】
１００  反応器
１０１  石英焼結板
１０２  密閉型触媒供給機
１０３  触媒投入ライン
１０４  原料ガス供給ライン
１０５  廃ガスライン
１０６  加熱器
１０７  点検口
１０８  触媒
【図１】
0005585325.tif 000006